(57)【特許請求の範囲】
【請求項１】
浴室内から吸引した空気を加熱部にて加熱して浴室に戻す暖房運転状態と、浴室内から吸引した空気の一部を外部に排気すると共に、残りの空気を前記加熱部にて加熱して浴室に戻す乾燥運転状態と、浴室内から吸引した空気を外部に排気する換気運転状態とに切り換え自在な加熱通風手段と、
運転状態並びに運転の実行を指令する指令手段の指令情報に基づいて、前記加熱通風手段の作動を制御する制御手段とが設けられた浴室暖房乾燥機であって、
前記乾燥運転状態での運転の後に引き続いて前記換気運転状態での運転を実行すべき要換気状態であるか否かを判別する要換気状態判別手段が設けられ、
前記制御手段は、前記乾燥運転状態での運転を実行した後、前記要換気状態判別手段にて要換気状態であることが判別されているときには、前記換気運転状態での運転を引き続いて実行するように構成され、
浴室内の温度を検出する温度検出手段が設けられ、
前記要換気状態判別手段は、前記乾燥運転状態での運転開始時点における前記温度検出手段の検出温度が設定温度以上のときは、前記要換気状態であると判別するように構成されている浴室暖房乾燥機。
【請求項２】
前記加熱通風手段は、前記要換気状態判別手段にて前記要換気状態であることが判別されているときに実行する前記換気運転状態での運転においては、浴室内から吸引した空気を浴室に戻して浴室内の空気を循環させることができるように構成されている請求項１記載の浴室暖房乾燥機。
【請求項３】
前記乾燥運転状態での運転が終了してから次の乾燥運転状態での運転が開始されるまでの経過時間を計測する計時手段が設けられ、
前記要換気状態判別手段は、前記計時手段にて計測された経過時間が設定時間以上のときは、前記要換気状態であるか否かの判別を実行するように構成されている請求項１又は２記載の浴室暖房乾燥機。
【請求項４】
前記換気運転状態での運転を終了すべき状態であるか否かを判別する終了判別手段が設けられ、
前記制御手段は、前記終了判別手段にて前記換気運転状態での運転を終了すべき状態であると判別されると、前記換気運転状態での運転を終了するように構成されている請求項１〜３のいずれか１項に記載の浴室暖房乾燥機。
【発明の詳細な説明】
【０００１】
【発明の属する技術分野】
本発明は、浴室内から吸引した空気を加熱部にて加熱して浴室に戻す暖房運転状態と、浴室内から吸引した空気の一部を外部に排気すると共に、残りの空気を前記加熱部にて加熱して浴室に戻す乾燥運転状態と、浴室内から吸引した空気を外部に排気する換気運転状態とに切り換え自在な加熱通風手段と、
運転状態並びに運転の実行を指令する指令手段の指令情報に基づいて、前記加熱通風手段の作動を制御する制御手段とが設けられた浴室暖房乾燥機に関する。
【０００２】
【従来の技術】
かかる浴室暖房乾燥機では、浴室内に吊り下げた洗濯物等を乾燥させたり、浴室を乾燥させる場合に、乾燥運転状態にて運転する。
従来は、制御手段は、指令手段からの乾燥運転状態での運転の開始指令や停止指令に基づいて、加熱通風手段を乾燥運転状態で作動させたり停止させるように、並びに、指令手段からの換気運転状態での運転の開始指令や停止指令に基づいて、加熱通風手段を換気運転状態で作動させたり停止させるように構成していた。
【０００３】
【発明が解決しようとする課題】
しかしながら、従来では、乾燥運転状態での運転後は浴室内に熱気が残っているので、そのように浴室内に熱気が残っている状態で、浴室を使用する場合は、使用者は不快感を感じることになる。特に、夏期には不快感を感じるのが顕著となる。
又、不快感を感じるのを避けるために、乾燥運転状態での運転後で浴室内に熱気が残っているときに、使用者が指令手段にて換気運転状態での運転を指令して、換気運転状態での運転によって浴室内を換気して熱気を排気することが考えられる。しかしながら、この場合、使用者が一々指令手段を操作する必要があり、又、換気運転状態での運転を指令したとしても、すぐに使用すると不快感を感じることとなり、浴室内の温度が、熱気が排気されて常温近くに戻るまで待つ必要があり、使い勝手が悪いものとなっていた。
【０００４】
本発明は、かかる実情に鑑みてなされたものであり、その目的は、乾燥運転状態での運転後も熱気の残留による不快感を感じること無く、しかも使い勝手良く浴室の使用を可能とする浴室暖房乾燥機を提供することにある。
【０００５】
【課題を解決するための手段】
請求項１に記載の特徴構成によれば、乾燥運転状態での運転を実行した後、要換気状態判別手段にて要換気状態であることが判別されているときには、人為的な操作を必要とすること無く、自動的に、換気運転状態での運転が引き続いて実行されて、乾燥運転状態での運転によって浴室内に残留していた熱気が吸引されて外部に排気され、浴室内が換気される。
従って、乾燥運転状態での運転後も熱気の残留による不快感を感じること無く、しかも使い勝手良く浴室の使用を可能とする浴室暖房乾燥機を提供することができるようになった。
また、請求項１に記載の特徴構成によれば、浴室内の温度を検出する温度検出手段が設けられ、要換気状態判別手段は、乾燥運転状態での運転開始時点における温度検出手段の検出温度が設定温度以上のときは、要換気状態であると判別するように構成されている。
つまり、夏季の暑い時期は、乾燥運転状態での運転の実行後は熱気が残っていると不快感を与えることが顕著になるが、夏季以外の気温が低い時期ほど、乾燥運転状態での運転の実行後は熱気が残っていても不快感を与えることが少なくなる傾向にある。
そこで、浴室内の温度を検出する温度検出手段を設けるとともに、前記設定温度を適宜に設定して、温度検出手段の検出温度と設定温度とを比較することにより、乾燥運転状態での運転の後に換気運転状態での運転を実行すべき要換気状態であるか否かを判別することができる。
従って、浴室内の温度を検出するといった簡単な構成により要換気状態であるか否かを判別することができ、しかも、浴室内の温度を検出するための温度検出手段は暖房運転状態や乾燥運転状態での運転時の室温制御のために本来設けられている場合が多いので、低コストにて本発明を実施することができるようになった。
【０００６】
請求項２に記載の特徴構成によれば、要換気状態判別手段にて要換気状態であることが判別されているときに実行される換気運転状態での運転においては、浴室内から吸引した空気が外部に排気されるのと並行して、浴室内から吸引した空気が浴室に戻されて浴室内の空気が循環させられるので、浴室内が広い範囲に渡って可及的に速く換気される。
従って、乾燥運転状態での運転後、浴室内の温度を一層短時間の間に使用者が不快感を感じることが無いような温度に戻すことができるので、更に使い勝手がよいものとなる。
【０００８】
請求項３に記載の特徴構成によれば、乾燥運転状態での運転が終了してから次の乾燥運転状態での運転が開始されるまでの経過時間を計測する計時手段が設けられ、要換気状態判別手段は、計時手段にて計測された経過時間が設定時間以上のときは、要換気状態であるか否かの判別を実行する。
【０００９】
つまり、乾燥運転状態での運転後、換気運転状態での運転を実行する、しないにしても、浴室内の温度が常温近くに戻るまでにはある程度の時間がかかるものの、一般的には、前回の乾燥運転状態での運転が終了してから、次の乾燥運転状態の運転開始までには、時間があくので、その間に、浴室内の温度は略常温近くにまで戻ることになる。
しかしながら、乾燥運転状態での運転後、浴室内の温度がまだ常温近くに戻っていない短時間の間に、次の乾燥運転状態での運転が開始されると、浴室内の温度がまだ常温近くに戻っていない状態で、浴室内の温度に基づいて要換気状態であるか否かを判別することになるので、例えば、気温が低い時期で、乾燥運転状態での運転の実行後に熱気が残っていても不快感を与えることが無いような時期でも、要換気状態であると誤って判別する虞がある。
【００１０】
そこで、前記設定時間を適宜に設定して、乾燥運転状態での運転が終了してから次の乾燥運転状態での運転が開始されるまでの経過時間が前記設定時間以上のときに、要換気状態であるか否かの判別を実行するように構成することにより、要換気状態の誤判別を防止することができるのである。
従って、乾燥運転状態での運転の実行後に、不必要であるにもかかわらず換気運転状態での運転が実行されるといった不具合を防止することができる。
【００１１】
請求項４に記載の特徴構成によれば、換気運転状態での運転を終了すべき状態であるか否かを判別する終了判別手段が設けられ、終了判別手段によって、換気運転状態での運転を終了すべき状態であると判別されると、換気運転状態での運転が自動的に終了する。
従って、換気運転状態での運転の停止のための人為的操作も不要となるので、更に使い勝手がよいものとなる。
【００１２】
【発明の実施の形態】
以下、図面に基づいて、本発明の実施の形態を説明する。
図１に示すように、浴室暖房乾燥機は、浴室ＢＲの天井に形成された開口部を通して浴室ＢＲに臨む状態で設置してある。
ケーシング１をその開口部を浴室ＢＲの天井の開口部に臨ませた状態で設置するとともに、吸気口２及び吹き出し口３を備えたパネル４をケーシング１の開口部を閉じる状態で設置し、ケーシング１の内部に吸気口２と吹き出し口３とを連通する循環通風路Ｌ１を区画形成してある。
循環通風路Ｌ１の内部に、吸気口２から浴室ＢＲ内の空気を吸い込むとともに、その吸い込み空気を循環通風路Ｌ１を通して通風させて吹き出し口３から浴室ＢＲに戻す循環ファン５と、その循環ファン５にて循環通風路Ｌ１を通して通風される空気を加熱する熱交換器６と、その熱交換器６よりも通風方向の上手側において循環通風路Ｌ１を通風される空気の温度（即ち、浴室ＢＲの温度Ｔ）を検出する温度センサ７の夫々を設けてある。
又、循環通風路Ｌ１を通風される空気の一部を熱交換器６よりも通風方向の上手側において排気用開口８を通じて吸い込むとともに、吸い込み空気を排気ダクト９を通して外部に排出する排気ファン１０を設けてある。
【００１３】
熱交換器６に熱媒としての温水を循環供給するように、外部熱源機ＷＨと熱交換器６とを温水循環路１１にて接続するとともに、温水循環路１１に熱交換器６への温水の供給を断続する熱動弁１２を介装してある。その熱動弁１２は、温水の断続の際に、流量が緩やかに変化するようにして、温水流量の急激な変化に伴う衝撃音や振動を抑制するように構成してあり、オン作動させてから開弁するまでの間、並びに、オフ作動させてから閉弁するまでの間の夫々に時間遅れ（例えば１〜３分間）があるようになっている。
【００１４】
つまり、熱交換器６が加熱部として機能し、循環ファン５を作動させるとともに、熱動弁１２をオン作動させて熱交換器６を加熱作動させることにより、浴室ＢＲ内から吸引した空気を熱交換器６にて加熱して浴室ＢＲに戻す暖房運転状態となり、循環ファン５及び排気ファン１０を作動させるとともに、熱動弁１２をオン作動させて熱交換器６を加熱作動させることにより、浴室ＢＲ内から吸引した空気の一部を外部に排気すると共に、残りの空気を熱交換器６にて加熱して浴室ＢＲに戻す乾燥運転状態となり、熱動弁１２をオフ作動させて熱交換器６の加熱作動を停止させた状態で、排気ファン１０を作動させることにより、浴室ＢＲ内から吸引した空気を外部に排気する換気運転状態となり、熱動弁１２をオフ作動させて熱交換器６の加熱作動を停止させた状態で、循環ファン５を作動させることにより、浴室ＢＲ内から吸引した空気をそのまま浴室ＢＲに戻す涼風運転状態となる。
従って、循環ファン５及び排気ファン１０を利用して、前記暖房運転状態と前記乾燥運転状態と前記換気運転状態とに切り換え自在な加熱通風手段ＨＢを構成してある。
【００１５】
各種運転状態並びに運転の実行を指令するリモコン１３と、そのリモコン１３の指令情報に基づいて、循環ファン５、換気ファン１０の作動及び熱交換器６の加熱作動（具体的には、熱動弁１２の作動）を制御する制御装置１４を設けてある。
制御装置１４はマイクロコンピュータを利用して構成してあり、ケーシング１の内部に設置してある。
リモコン１３は、使用者が便利に操作できるように浴室ＢＲの入口の壁部等に設置し、通信線１５により制御装置１４と通信可能に接続してある。
【００１６】
又、リモコン１３には、図２に示すように、前記暖房運転状態（以下、暖房運転モードと称する場合がある）での運転を指定する暖房スイッチ２１、前記乾燥運転状態（以下、乾燥運転モードと称する場合がある）での運転を指令する乾燥スイッチ２２、前記換気運転状態（以下、換気運転モードと称する場合がある）での運転を指令する換気スイッチ２３、前記涼風運転状態（以下、涼風運転モードと称する場合がある）での運転を指令する涼風スイッチ２４、各運転モードの運転停止を指令する停止スイッチ２５、タイマー設定時間を設定するタイマー設定スイッチ２６、及び、そのタイマー設定スイッチ２６にて設定されたタイマー設定時間を表示するタイマー表示部２７を備えてある。各運転モードを指令する各スイッチには、各モードに設定されていることを表示するモード表示ランプ２１ａ，２２ａ，２３ａ，２３ｂ，２４ａを夫々備えさせてある。換気運転モードを表示するモード表示ランプ２３ａ，２４ｂは、ファン強度の強弱２種の夫々の状態を表示するように２個設けてある。
【００１７】
図３のフローチャートに示すように、制御装置１４は、リモコン１３の各モードスイッチ２１〜２４のいずれかがオン操作されると、その選択された運転モードで運転を実行するように、循環ファン５、換気ファン１０及び熱動弁１２夫々の作動を制御する。
〔暖房〕、〔乾燥〕、〔換気〕、〔涼風〕のいずれかの運転モードにて運転を行う場合に、タイマー設定スイッチ２６にてタイマー設定時間Ｈｏｓを設定することができ、そのタイマー設定時間Ｈｏｓが経過すると自動的に運転が停止するようになっている。尚、タイマー設定時間Ｈｏｓが経過する前であっても、停止スイッチ２５を操作すると運転が停止する。
【００１８】
更に、制御装置１４は、乾燥運転モードでの運転の開始時点における温度センサ７の検出温度Ｔが換気運転要否判別用設定温度Ｔｓ１（例えば、２７°Ｃ）以上のときは、乾燥運転モードでの運転の後に、熱気排出用の換気運転モードでの運転を実行すべき要換気状態であると判別し、換気運転要否判別用設定温度Ｔｓ１未満のときは要換気状態でないと判別するように構成してある。
従って、制御装置１４を利用して、要換気状態判別手段１４ａを構成し、温度センサ７は浴室ＢＲ内の温度Ｔを検出する温度検出手段として機能する。
【００１９】
更に、制御装置１４は内蔵の計時手段１４ｂにより、乾燥運転モードでの運転が終了してから次の乾燥運転モードでの運転が開始されるまでの経過時間（以下、インターバル時間と称する場合がある）Ｈｉを計時するとともに、そのインターバル時間Ｈｉが判別用設定時間Ｈｉｓ（例えば、１時間）以上のときは、前記要換気状態であるか否かの判別を実行するように構成してある。
【００２０】
次に、各運転モードにおける制御作動について説明する。
〔暖房運転モード〕
暖房スイッチ２１が操作されると、モード表示ランプ２１ａ及びタイマー表示部２７夫々を点灯させ、並びに、熱動弁１２をオン作動させるとともに、循環ファン５を作動させる。このとき、タイマー設定スイッチ２６にて任意のタイマー設定時間Ｈｏｓを設定することができる。尚、タイマー設定スイッチ２６にてタイマー設定時間Ｈｏｓが設定されると、そのタイマー設定時間Ｈｏｓが制御装置１４に指令される。
【００２１】
この暖房運転モードにおいては、熱交換器６に温水が供給されるとともに、循環ファン５が作動されて、吸気口２から吸い込まれた空気が循環通風路Ｌ１を通して通風され、熱交換器６にて加熱されてから吹き出し口３から浴室ＢＲに戻されることで、浴室ＢＲ内が暖房される。
その後、停止スイッチ２５が操作されるか又はタイマー設定時間Ｈｏｓが経過すると、モード表示ランプ２１ａ及びタイマー表示部２７を消灯し、並びに、熱動弁１２をオフ作動させるともに、循環ファン５を停止させる。
【００２２】
〔乾燥運転モード〕
この運転モードは浴室ＢＲ内に吊るされた洗濯物等の水分を含む被乾燥物を乾燥させる場合に用いる。
以下、図３及び図４に示すフローチャートに基づいて、乾燥運転モードにおける制御作動を説明する。
乾燥スイッチ２２が操作されると、前回の乾燥運転の終了時から計時してきたインターバル時間Ｈｉの計時をストップするとともに、運転時間Ｈｏの計時をスタートし、並びに、モード表示ランプ２２ａ及びタイマー表示部２７夫々を点灯させ、並びに、熱動弁１２をオン作動させるとともに、循環ファン５及び換気ファン１０夫々を作動させる（ステップ＃１〜＃３）。このときも、タイマー設定スイッチ２６にて任意のタイマー設定時間Ｈｏｓを設定することができる。尚、タイマー設定スイッチ２６にてタイマー設定時間Ｈｏｓが設定されると、そのタイマー設定時間Ｈｏｓが制御装置１４に指令される。
【００２３】
続いて、ステップ＃４において、インターバル時間Ｈｉと判別用設定時間Ｈｉｓとを比較しする。
そして、インターバル時間Ｈｉが判別用設定時間Ｈｉｓに達していないときは、浴室ＢＲ内の温度が常温に戻っていない虞があって、要換気状態か否かの判別を正確に行うことができない虞があるので、要換気状態か否かの判別を行わずに、停止スイッチ２５が操作されるか又はタイマー設定時間Ｈｏｓが経過することにより乾燥運転の停止指令があるまで、乾燥運転モードでの運転を継続して、乾燥運転の停止指令があると、モード表示ランプ２２ａ及びタイマー表示部２７を消灯し、並びに、熱動弁１２をオフ作動させるとともに、循環ファン５及び換気ファン１０夫々を停止させて、乾燥運転モードでの運転を終了する（ステップ＃５〜＃７）。続いて、運転時間Ｈｏの計時をストップするとともに、インターバル時間Ｈｉの計時をスタートして（ステップ＃８、＃９）、リターンする。
【００２４】
ステップ＃４において、インターバル時間Ｈｉが判別用設定時間Ｈｉｓに達しているときは、浴室ＢＲ内の温度Ｔが略常温に戻っているので、ステップ＃１０で、温度センサ７の検出温度Ｔに基づいて、熱動弁１２をオン作動させてから熱動弁１２が開弁するまでの間の所定時間の間（例えば、熱動弁１２のオン作動後、３０秒〜４０秒の間の１０秒間）の平均浴室温度Ｔａを算出し、ステップ＃１１で、平均浴室温度Ｔａと換気運転要否判別用設定温度Ｔｓ１とを比較して、要換気状態か否かの判別を行う。
【００２５】
そして、平均浴室温度Ｔａが換気運転要否判別用設定温度Ｔｓ１よりも低いときは、要換気状態でないので、ステップ＃５に進み、乾燥運転の停止指令があるまで、乾燥運転モードでの運転を継続して、乾燥運転の停止指令があると乾燥運転モードでの運転を終了し、続いて、運転時間Ｈｏの計時をストップするとともに、インターバル時間Ｈｉの計時をスタートして（ステップ＃５〜＃９）、リターンする。
【００２６】
ステップ＃１１で、平均浴室温度Ｔａが換気運転要否判別用設定温度Ｔｓ１以上のときは、要換気状態であるので、乾燥運転の停止指令があるまで、乾燥運転モードでの運転を継続して、乾燥運転の停止指令があると、モード表示ランプ２２ａ及びタイマー表示部２７を消灯し、並びに、熱動弁１２をオフ作動させて、乾燥運転モードでの運転を終了し、引き続き、熱気排出用の換気運転モードでの運転を継続する（ステップ＃１２〜＃１４）。
続いて、運転時間Ｈｏの計時をストップするとともに、インターバル時間Ｈｉ及び熱気排出時間Ｈｅの計時をスタートさせる（ステップ＃１５、＃１６）。
【００２７】
温度センサ７の検出温度Ｔが熱気排出運転停止判別用設定温度Ｔｓ２（例えば、Ｔｓ１＋２°Ｃ）以下になるか、又は、熱気排出時間Ｈｅが熱気排出運転設定時間Ｈｅｓ（例えば、３０分間）に達すると、熱気排出時間Ｈｅの計時をストップさせるとともに、循環ファン５及び換気ファン１０を停止させて、熱気排出用の換気運転モードでの運転を終了して（ステップ＃１７〜＃２０）、リターンする。
従って、制御装置１４を利用して、熱気排出用の換気運転モードでの運転を終了すべき状態であるか否かを判別する終了判別手段１４ｃを構成してある。
【００２８】
この乾燥運転モードにおいては、図１に示すように、熱交換器６に温水が供給されるとともに、循環ファン５及び換気ファン１０が作動されて、吸気口２から吸い込まれた空気が循環通風路Ｌ１を通して通風され、その空気の一部が排気用開口８から排気ダクト９を通じて外部に排気されると共に、残りの空気が熱交換器６にて加熱されてから吹き出し口３から浴室ＢＲに戻される。
このようにして、洗濯物等の水分を蒸発させ、蒸発した水分を含む空気は排気用開口８から排気ダクト９を通じて外部に排気され、浴室ＢＲに設置された洗濯物等が乾燥するようになっている。
【００２９】
要換気状態である判別されて、乾燥運転モードでの運転の後に引き続いて実行される熱気排出用の換気運転モードでは、循環ファン５及び換気ファン１０の通風作動によって、吸気口２から吸い込まれた空気が循環通風路Ｌ１を通して通風され、その空気の一部が排気用開口８から排気ダクト９を通じて外部に排気されると共に、残りの空気がそのまま吹き出し口３から浴室ＢＲに戻される。
つまり、熱気排出用の換気運転モードでは、浴室ＢＲ内から吸引した空気を浴室ＢＲに戻して浴室ＢＲ内の空気を循環させることができるように構成してあり、そのように、浴室ＢＲ内の空気を循環させながら排気することにより、効率よく浴室ＢＲ内の熱気を排気できるようになっている。
【００３０】
〔換気運転モード〕
換気スイッチ２３が操作されると、モード表示ランプ２３ａ及びタイマー表示部２７夫々を点灯させ、並びに、換気ファン１０を作動させる。このときも、タイマー設定スイッチ２６にて任意のタイマー設定時間Ｈｏｓを設定することができる。尚、タイマー設定スイッチ２６にてタイマー設定時間Ｈｏｓが設定されると、そのタイマー設定時間Ｈｏｓが制御装置１４に指令される。
この換気運転モードにおいては、換気ファン１０の通風作動により、浴室ＢＲ内の空気が吸気口２や吹き出し口３を通して吸い込まれて、排気用開口８から排気ダクト９を通じて外部に排気される。
換気ファン１０は、通風能力（回転数）が強弱２段階に切り換え自在に設けられ、換気スイッチ２３の初回の操作においては「強」に設定され、それに伴って、モード表示ランプ２３ａが点灯し、換気スイッチ２３が再度操作されると「弱」に設定され、それに伴って、モード表示ランプ２３ａが消灯するとともに、モード表示ランプ２３ｂが点灯する。
その後、停止スイッチ２５が操作されるか又はタイマー設定時間Ｈｏｓが経過すると、モード表示ランプ２３ａ，２３ｂ及びタイマー表示部２７を消灯し、並びに、換気ファン１０を停止させる。
【００３１】
〔涼風運転モード〕
この運転モードは、例えば夏場の入浴時等に通風循環させて涼風感覚を得るために用いられる。
涼風スイッチ２４が操作されると、モード表示ランプ２４ａ及びタイマー表示部２７夫々を点灯させ、並びに、循環ファン５を作動させる。このときも、タイマー設定スイッチ２６にて任意のタイマー設定時間Ｈｏｓを設定することができる。尚、タイマー設定スイッチ２６にてタイマー設定時間Ｈｏｓが設定されると、そのタイマー設定時間Ｈｏｓが制御装置１４に指令される。
【００３２】
この涼風運転モードにおいては、循環ファン５の通風作動によって、浴室ＢＲの空気が循環路Ｌ１を通して循環通風され、加熱されること無く吹き出し口３から吹き出される。
その後、停止スイッチ２５が操作されるか又はタイマー設定時間Ｈｏｓが経過すると、モード表示ランプ２４ａ及びタイマー表示部２７を消灯し、並びに、循環ファン５を停止させる。
【００３３】
〔別実施形態〕
次に別実施形態を説明する。
（イ）  加熱通風手段ＨＢの具体構成は、上記の実施形態においては例示したように循環ファン５及び排気ファン１０を利用して構成する場合に限定されるものではない。例えば、図５に示すように、循環ファン５、及び、その循環ファン５により循環通風路Ｌ１を通して通風される空気の全てを浴室ＢＲに戻す暖房運転状態（図５中のａ状態）と、循環ファン５により循環通風路Ｌ１を通して通風される空気の一部を排気用開口８を通じて外部に排気すると共に、残りを浴室ＢＲに戻す乾燥運転状態（図５中のｂ状態）と、循環ファン５により循環通風路Ｌ１を通して通風される空気の全てを排気用開口８を通じて外部に排気する換気状態（図５中のｃ状態）に切り換え自在なダンパ１６を備えて構成することができる。
尚、ダンパ１６は、ａ状態、ｂ状態、ｃ状態に移動操作自在に設けた羽根体１６ａと、その羽根体１６ａを移動操作する電動モータ等のアクチュエータ１６ｂとを備えて構成してあり、制御装置１４により、アクチュエータ１６ｂの作動を制御する。
【００３４】
（ロ）  上記の実施形態においては、熱気排出用の換気運転モードでは、循環ファン５及び換気ファン１０の両方を作動させて、浴室ＢＲ内の空気を循環させながら排気することができるように構成する場合について例示したが、これに代えて、循環ファン５は停止させて、換気ファン１０のみを作動させるようにしてもよい。
【００３６】
（ハ）  判別用設定時間Ｈｉｓ、熱気排出運転設定時間Ｈｅｓ、換気運転要否判別用設定温度Ｔｓ１及び熱気排出運転停止判別用設定温度Ｔｓ２夫々の具体値は、上記の実施形態において例示した値に限定されるものではなく、適宜に設定することができる。
【００３７】
（ニ）  上記の実施形態では、温度検出手段としての温度センサ７を、ケーシング１内部の循環通風路Ｌ１内に設置する場合について例示したが、浴室ＢＲ内部に設置してもよい。
【００３８】
（ホ）  加熱部の具体構成は、上記の実施形態において例示した熱交換器６以外にも、電気ヒータ、又は、ガスや石油等の燃料を燃焼させて加熱する燃焼式加熱手段等を利用して構成することができる。
【図面の簡単な説明】
【図１】浴室暖房乾燥機のブロック図
【図２】リモコンの正面図
【図３】制御作動のフローチャートを示す図
【図４】制御作動のフローチャートを示す図
【図５】別実施形態における浴室暖房乾燥機のブロック図
【符号の説明】
６      加熱部
７      温度検出手段
１３    指令手段
１４    制御手段
１４ａ  要換気状態判別手段
１４ｂ  計時手段
１４ｃ  終了判別手段
ＨＢ    加熱通風手段
【図１】
0003862407.tif 000002
【図２】
0003862407.tif 000003
【図３】
0003862407.tif 000004
【図４】
0003862407.tif 000005
【図５】
0003862407.tif 000006